(57)【特許請求の範囲】
【請求項１】
略四角柱形状に形成された筐体の下部に一体に取付けられ、該筐体の外形形状以下の寸法のベースと、
前記ベース底面の四隅の角部近傍に設けられ、該ベースに相対する床面と該ベースとをボルト・ナットにより締結して該ベースを固定するための取付穴と、
前記筐体または前記ベースの少なくともいずれか一方の横壁面に開口され、前記ベースの外側から前記取付穴のナットを締めるための作業穴と
を備え、
前記ナットを締める工具が入るスペースを有するように、前記取付穴の周辺を仕切る壁部材が設けられていることを特徴とする空気調和装置。
【請求項２】
前記筐体内に少なくとも送風ファンを備え、
前記筐体は、少なくとも、該筐体の天面を覆う天面パネルと、該筐体の両側面を覆う２枚の側面パネルと、該筐体の前面を覆う前面パネルと、該筐体の背面を覆う背面パネルとから形成され、
前記天面パネルと前記側面パネルと前記前面パネルと前記背面パネルの内、少なくともいずれかに、空気吹出口と空気吸入口が設けられていることを特徴とする請求項１に記載の空気調和装置。
【請求項３】
前記作業穴には、該作業穴を塞ぐ塞ぎ板が取外し可能に取付けられていることを特徴とする請求項１または２に記載の空気調和装置。
【請求項４】
前記天面パネルと前記側面パネルと前記前面パネルの内、少なくともいずれかに、開放可能なサービスパネルが設けられていることを特徴とする請求項２または３に記載の空気調和装置。
【請求項５】
箱体形状とされた前記ベースの中央に設けられ、前記筐体内または該ベース内にて発生したドレン水を蓄えるドレンパンを備え、
前記壁部材は、前記取付穴の周辺または周辺の一部に設けられ、前記ドレンパンから該取付穴への浸水を防止することを特徴とする請求項１ないし４のいずれかに記載の空気調和装置。
【発明の詳細な説明】
【技術分野】
【０００１】
本発明は、工場、事務所、ビル、店舗等の商業施設や、携帯電話基地局等の電算室等に設置される大型の床置き形の空気調和装置に関するものである。
【背景技術】
【０００２】
従来、床置き形の空気調和装置を設置する場合には、転倒防止のため、空気調和装置の底面にベースを取付け、ベースの四つの角部近傍にそれぞれ貫通穴を設けて、予め床面に埋設された固定用ボルトを貫通穴に通しナットを締め付けることにより固定しているが、通常、固定用ボルト・ナットの締め付けは空気調和装置の外側から行うことができるよう、ベースが空気調和装置の底面よりも広く形成され、空気調和装置の側面よりも外側に貫通穴が設けられる等、空気調和装置の外側から固定用ボルト・ナットの締め付け作業ができるようにされている。
【０００３】
床置き形の空気調和装置の設置方法として、例えば特許文献１に示すものがあり、空気調和装置の外側にベースをはみ出させ、はみ出した部分に据付金具を設けて空気調和装置の外側からの固定用ボルト・ナットの締め付けを可能にしていた。
【０００４】
【特許文献１】特開２０００−３３７６６７号公報
【発明の開示】
【発明が解決しようとする課題】
【０００５】
しかしながら、空気調和装置を室内等の壁面、特にコーナー部に設置する場合には、固定用ボルト・ナット締め付けのための作業スペースを空気調和装置の背面か側面の少なくともいずれかに確保しなければならないため、空気調和装置を壁面から離して設置する必要があり、作業空間を含めて、空気調和装置が設置される空間を広く確保しておかなければならなかった。
【０００６】
この発明における空気調和装置は、上記の問題点を解消するためのものであり、設置に関する制約を軽減すると共に、設置空間を小さくすることを目的としている。
【課題を解決するための手段】
【０００７】
この発明における空気調和装置は、略四角柱形状に形成された筐体の下部に一体に取付けられ、筐体の外形形状以下の寸法のベースと、ベース底面の四隅の角部近傍に設けられ、ボルト・ナットによりベースと相対する床面にベースを固定する取付穴と、筐体又はベースの少なくともいずれか一方の横壁面に開口され、ベースの外側から取付穴のナットを締めるための作業穴とを備え、ナットを締める工具が入るスペースを有するように、取付穴の周辺を仕切る壁部材が設けられていることを特徴とする。
【発明の効果】
【０００８】
このような構成とすることで、空気調和装置を装置の背面及び横側面と壁面を近接して向き合わせて装置の据付を行う場合には、サービスパネルを開放することで装置の前面からナットを締め上げることができるとともに、壁面から離して据付する場合には、装置の前面からもナットを締めることもでき、かつ、サービスパネルを開放せずに装置の外側からでもナットを締め上げることが可能になるので、設置に関する制約を軽減すると共に、設置空間を小さくすることができる。
【発明を実施するための最良の形態】
【０００９】
実施の形態１．
本実施の形態１について、図面を用いて説明する。図１は、実施の形態１における床置き形の空気調和装置１を示しており、それぞれ鉄や樹脂等で形成された、空気調和装置１の天面を覆う天面パネル２と、空気調和装置１の両側面を覆う２枚の側面パネル３と、空気調和装置１の前面を覆う前面パネル４と、空気調和装置１の背面を覆う背面パネル（図示せず）により略四角形状の筐体を形成している。ここでは、空気調和装置１は、幅１４００ｍｍ、高さ２０００ｍｍ、奥行き８００ｍｍ程度の大きさの装置により記載しているが、形状はこれに限ったものではないことはもちろんである。
【００１０】
筐体内には、図示しないが、主要部品として、空気を吸入するための送風ファン、ファンを駆動するファンモータ、吸入した空気に含まれる塵埃を除去する除塵フィルタ、吸入した空気を熱交換する熱交換器、熱交換器に発生して落ちたドレン水を受け止めるメインドレンパン、ファンモータや電磁弁等の電気部品の制御を行う制御基板等が収納された電装ボックス、及び、冷媒配管が、適用される空気調和装置の仕様に基づき、適宜配置されている。適用される空気調和装置としては、例えば、本実施の形態１のように、前面または側面から空気を吸い込み、天面から熱交換された空気を吹き出すタイプのものや、逆に、天面から空気を吸い込み、前面または側面から熱交換された空気を吹き出すタイプのものなど、様々なタイプの空気調和装置があり、それにより、各ユニットが空気調和装置のタイプに応じて配置される。
【００１１】
天面パネル２には空気吹出口６が設けられ、前面パネル４には、作業者が空気調和装置１内部のメンテナンス等の作業を行うときに開口するサービスパネル５が設けられ、取付ネジ７２により前面パネル４に取付けられている。
【００１２】
さらに、サービスパネル５には、空気調和装置１前面から空気を吸込む空気吸入口が設けられ、吸込んだ空気は、筐体内部に設けられた送風ファン、熱交換器により熱交換されて、天面パネル２に設けられた空気吹出口６より吹き出される。本実施の形態１においては、空気調和装置１の筐体内部そのものが風路となる構成となっている。
【００１３】
尚、本実施の形態１では、サービスパネル５として一枚の板金形状で取外し可能なパネルが設けられているが、扉タイプのものであっても良く、そのようにすれば、空気調和装置１前面を容易に開放できることとなり、メンテナンス作業にかかる手間が軽減される。また、サービスパネル５が取付けられる位置は前面パネル４に限らず、例えば、空気調和装置１が背面のみ壁面に向き合い、側面のスペースに制約がない場合等は、サービスパネル５は、側面パネル３に取付けられても良い。
【００１４】
さらに、空気調和装置１の底面下部には、ベース７が、図４に示すように４本の支持柱１１で空気調和装置１と一体に取付けられており、ベース７の上面は空気調和装置１の底面と同一面積である。空気調和装置１を床面１００に設置する際には、地震等による転倒を防止するために、ベース７を利用して後述する固定用ボルト８０に、第一ナット８２、第二ナット８３で締め上げることで空気調和装置１を床面１００に固定している。なお、支持柱１１は空気調和装置１全体としては、筐体を形成するフレームとして一体に形成されている。
【００１５】
ベース７は、空気調和装置１の筐体の外形寸法よりも小さい幅、奥行きであり、これにより、ボルト・ナットの取り付けスペースが据付作業のスペースを占めることがなくなり、壁面に囲まれたコーナー部や隙間への据付の場合に、壁面との隙間を小さくできる。
【００１６】
また、本実施の形態１では、筐体は、鉄材料で構成されているが、他の材料で構成することを妨げるものではない。また、強度を必要とするフレーム等以外の、例えば、筐体を構成する各パネルは樹脂成形品により構成されても良く、そのようにすれば、空気調和装置１を軽量化することができる。
【００１７】
また、本実施の形態１では、ベース７は樹脂成形品で構成されており、材質としては耐油性を考慮してポリプロピレンを使用しているが、空気調和装置１を支えうる強度を持つ材質であることが望ましい。
【００１８】
図２と図３を用いて、ベース７の構造を説明する。図２はベース７の全体構造であり、図３は図２のＡ部を拡大した図を示している。ベース７は略箱体形状をしており、四隅の角部近傍の各底面に、床面１００に固定用ボルト８０、第一ナット８２、第二ナット８３で固定するための取付穴８が設けられており、取付穴８の周辺又は周辺の一部を取り囲むように、壁部材９がベース７に溶接されて固定されている。
【００１９】
取付穴８にて第一ナット８２、第二ナット８３を締め上げるときは、サービスパネル５を開口して作業者が空気調和装置１内部に入り込み、ベース７の上部から第一ナット８２、第二ナット８３をトルクレンチ８４で締め上げるため、壁部材９の大きさ及び高さは、取付穴８周辺にトルクレンチ８４が入る十分なスペースを確保できるように設定されている。壁部材９が取付穴８を囲む広さは、ナットに対してトルクレンチ８４を回すことができる広さであればよく、例えば、３００ｍｍ角ほどの広さであると良い。また、壁部材９の高さは、後述するサブドレンパン１０と同じ程度の高さであると良い。
【００２０】
尚、本実施の形態１では、第一ナット８２、第二ナット８３を締めるために、トルクレンチ８４を使用しているが、ナットを締めるための工具であれば何でも良く、例えば、モンキーレンチやスパナ等を使用することも可能である。
【００２１】
コーナー部への設置ではない場合には、空気調和装置１の内部から設置作業をすることは逆に手間を要する可能性が高いため、ベース７の側面から取付穴８を覗いて作業ができるように、作業穴７０が取付穴８の近傍のベース７の壁面に開口している。つまり、四つの取付穴８の近傍には、それぞれ二つの作業穴７０が設けられる。
【００２２】
このような作業穴７０をそれぞれ設けることで、どのような場所にも設置を容易とし、作業スペース等を考慮する手間が省けるため、作業者が設置に要する手間や時間は大幅に軽減される。尚、本実施の形態１では、ベース７は図１に示すように空気調和装置１の底面下部に設けているが、空気調和装置１の筐体がベース７の周囲に覆い被さるように構成されても良く、このとき、作業穴７０は、ベース７の壁面、又は空気調和装置１の筐体の少なくとも一方に設けられる。
【００２３】
作業穴７０には、それぞれ開口部を塞ぐ塞ぎ板７１が取外し可能に設けられており、これは、本実施の形態１では、空気調和装置１が筐体内部全体を風路として使用しているために、気密性を保ち作業穴７０からの風漏れを防ぐことで、風バイパスを防止して空調能力の低下や筐体内部の結露を防止するためである。実施の形態１のように、空気調和装置１が筐体内部全体を風路として使用しないタイプの空気調和装置であれば、塞ぎ板７１は特に不要であり、設けても設けなくても良い。
【００２４】
作業穴７０は、ナットを締めるための工具を動かすことができる程度、例えば幅２００ｍｍ、高さ１００ｍｍ程度の大きさを有しており、ネジ等により容易に取り外せるようになっているが、作業穴７０は、本実施の形態１に記載したような角穴でなくとも良く、円形や楕円形の穴等、作業が可能な穴であれば何でも良い。
【００２５】
また、実施の形態１では、空気調和装置１の各角部の作業穴７０はそれぞれ２つずつ設けて、空気調和装置１の前後左右から作業ができるようにしているが、例えば、空気調和装置１がコーナー部や壁に囲まれた隙間に設置される場合には、背面側の２つの角部の作業穴７０は不要である。また、例えば、前面側の２つの角部の取付穴８は角部に設けられる必要はなく、ベース７の角部から前面側寄りに設け、前面に作業穴７０を設けることで、より作業性を向上させることができる。
【００２６】
また、本実施の形態１では、ベース７の角部四隅に全て空気調和装置１の内部から作業ができるように取付穴８の上方を開放するような形状としているが、空気調和装置１の前面に配置される二つの角部に設けられた取付穴８については、作業スペースが問題となることはないため、空気調和装置１の内部からでも外部からでも、あるいは、いずれか一方から作業が可能な形状としておけばよい。
【００２７】
さらに、図２のように、ベース７の内側壁と各四つの壁部材９に取り囲まれたベース７の中央部のスペースには、サブドレンパン１０が載置されており、壁部材９はサブドレンパン１０からの浸水を防止することができる構造となっている。尚、サブドレンパン１０の形状は、これに限ったものではなく、例えば、ベース７が厚みのある板形状となって、中央部に凹部を設けることでサブドレンパンとして構成することも可能である。
【００２８】
サブドレンパン１０は、落ちたドレン水が一方向に流れるように底面が傾斜された形状となっており、ドレン水が傾斜部を流れ落ちた部分には、ドレン水を排水することができるように排水口１２が設けられている。
【００２９】
尚、本実施の形態１においては、空気調和装置１の前面から使用者等の作業者が排水口１２の蓋を開けて、サブドレンパン１０に蓄えられたドレン水を手動で抜くようになっているが、排水口１２をベース７の底面に開口させ、床下に配管を這わせてドレン水を抜く構造とすれば、サブドレンパン１０のメンテナンス作業が軽減される。さらに、このとき、排水口１２や床下に這わせた配管内が、埃やカビ等により詰まらないように、抗菌剤等を練りこんでおくと良い。
【００３０】
このような構造として、メインドレンパンからドレン水が溢れた場合や、熱交換器や冷媒配管等に結露して水が落ちた場合等に、ベース７にサブドレンパン１０を設けてエマージェンシードレンパンとして機能させることで、筐体内やベース７内で発生して落ちた水が取付穴８周辺に流れて取付穴８から空気調和装置１の外部への水漏れすることを防止することができる。
【００３１】
実施の形態１では、ベース７に別途サブドレンパン１０を設けることで、ベース７にエマージェンシードレンパンとしての機能を持たすようにしたが、サブドレンパン１０を設けず、ベース７の構造を水が漏れないように構成し、ベース７自身がドレンパンとしての機能を有するようにしても良い。そのようにすることにより、サブドレンパン１０を設けないことによる、空気調和装置１の組み立ての簡易化、およびコストの低減を図ることができる。
【００３２】
また、壁部材９は、空気調和装置１が傾けられて設置された場合や地震等により揺れが発生した場合等に、サブドレンパン１０に溜まった水が溢れて、取付穴８から水が室内に漏れ出ないために設けられているものであり、取付穴８に流れないような高さを有している。そのため、壁部材９は少なくとも水が溢れない程度の高さを備えていれば良く、通常、２０ｍｍ以上の高さがあればよい。
【００３３】
図４は、空気調和装置１とベース７を一体に取付けたときの簡易図を示した図である。図４の（ａ）は、ベース７の上方から見たときの各部材の位置関係を示した図であり、図４の（ｂ）は、図４の（ａ）のＢ部を拡大したときの斜視図である。
【００３４】
空気調和装置１とベース７は支持柱１１によって一体に組み立てられており、支持柱１１は、空気調和装置１の天板パネル２からベース７の底面までの長さを持ち、Ｌ字状の一本の鉄部材であり、空気調和装置１の角部四隅にそれぞれ設けられて、空気調和装置１とベース７に溶接されて取付けられている。
【００３５】
また、角部から塞ぎ板７１までの距離Ｙと、その内、支持柱１１の占める長さＸとの関係は、Ｙ＞Ｘに設計されており、これは、作業穴７０からトルクレンチ８４を挿入して作業をするときに、支持柱１１が邪魔にならないようにするためである。
【００３６】
次に、図５を用いて、固定用ボルト８０、第一ナット８２、第二ナット８３の締め付けについて説明する。
【００３７】
空気調和装置１を設置する前に予め床面１００に固定用ボルト８０を埋設させてあり、固定用ボルト８０をベース７に設けられた取付穴８に通し、まず、空気調和装置１を床面１００に載置する。
【００３８】
さらに、取付穴８から固定用ボルト８０が突起するので、上からワッシャ８１を通し、次に、固定用ボルト８０に螺合させる第一ナット８２、第二ナット８３を用いて、ベース７を嵌めて、さらに取付穴８の上方からトルクレンチ８４により強く締め上げる。
【００３９】
他の三つの取付穴８についても同様にワッシャ８１、第一ナット８２、第二ナット８３にて締め上げて、ベース７を固定する。
【００４０】
第一ナット８２、第二ナット８３の大きさとしては、外形の直径が１００〜１２０ｍｍ程度（Ｍ１０〜１２）のものが一般的である。
【００４１】
尚、空気調和装置１の内部を構成するファンモータや送風ファンを中央に配置し、さらに、冷媒や水の配管を下方に配置しない設計とすることで、空気調和装置１の前面から作業者の手、及び、ボルト締付け用の工具が背面に設けられた取付穴８まで届いて作業ができる配置とされており、適宜、各部品は配置される。これらのユニットは、ベース７の情報に空間を設けて配置することで、トルクレンチ８４を装置内部に挿入しやすくなり、作業性が向上する。
【００４２】
本実施の形態１では、取付穴８に第一ナット８２、第二ナット８３を締めるだけで装置の据付作業を行う機構として説明をしたが、地震等の大きな揺れが発生したり、空気調和装置の圧縮機や送風機の振動がボルトとベースを通して床面１００に伝達されることで空気調和装置が振動してしまい、筐体が揺れて破損したりすることもあるため、振動防止用として、取付穴下部のベース面と床面１００の間に防振材が設けられても良い。
【００４３】
また、天井面や壁面に、別部材を用いて、設置固定の強度を高めても良い。
【００４４】
実際の空気調和装置１の据付作業について、説明する。
【００４５】
まず、すでにベース７が一体に取付けられた空気調和装置１を、配管や配線などの床下作業を行った後、リフト装置等で設置場所に運ばれ、予め床面に設けられて床面より突出した固定用ボルト８０がベース７の４隅に設けられた取付穴８に挿入されるように調整され、載置される。
【００４６】
次に、サービスパネル５を開放して、作業者自身が筐体内部に入るか、又は、トルクレンチ８４を持って作業者の腕を筐体内部に入れるか、又は、トルクレンチ８４のみを筐体内部に入れるか、によって、図５のようにワッシャ８１、第一ナット８２、第二ナット８３を固定用ボルト８０に取付ける。この場合、当然、サービスパネル５は、作業者自身が筐体内部に入ることができる大きさであると作業性はよく、更に、据付後のメンテナンスの作業もしやすくなる。
【００４７】
しかしながら、設計上の制約等により、サービスパネル５は、少なくとも、トルクレンチ８４等のナットを締める工具が背面側に設けられた取付穴８まで届く程度の大きさであれば良い。
【００４８】
さらに、据付場所によっては、外側からの作業が可能である場合もあるので、そのときには、作業穴７０からの作業としても、当然良い。
【００４９】
以上の構成とすることで、空気調和装置１の内部からでも外部からでも空気調和装置１の設置作業が行えることとなり、壁設置、特に、コーナー部、さらには、背面や両側面が壁で囲まれた隙間での設置作業においても、設置作業の制約条件が軽減されることとなって、作業スペースが狭くとも設置がしやすくなるという効果を得る。
【００５０】
本実施の形態１では、床置き形の空気調和装置について説明したが、同様の構成を持つ空気調和装置や冷凍装置についても適用可能である。
【図面の簡単な説明】
【００５１】
【図１】実施の形態１を示す空気調和装置の全体図である。
【図２】実施の形態１を示すベースの全体図である。
【図３】実施の形態１を示すベースの取付穴周辺の詳細図である。
【図４】実施の形態１を示す空気調和装置とベースを接続したときの図である。
【図５】実施の形態１を示す取付穴に固定用ボルト・ナットを締め上げるときの図である。
【符号の説明】
【００５２】
１  空気調和装置、２  天面パネル、３  側面パネル、４  前面パネル、５  サービスパネル、６  空気吹出口、７  ベース、８  取付穴、９  壁部材、１０  サブドレンパン、１１  支持柱、１２  排水口、７０  作業穴、７１  塞ぎ板、７２  取付ねじ、８０  固定用ボルト、８１  ワッシャ、８２  第一ナット、８３  第二ナット、８４  トルクレンチ、１００  床面。
【図１】
0005084572.tif 000002
【図２】
0005084572.tif 000003
【図３】
0005084572.tif 000004
【図４】
0005084572.tif 000005
【図５】
0005084572.tif 000006